(57)【要約】【課題】  画質を向上させることができるとともに、消費電力を低減させることができる液晶表示装置の駆動方法および駆動回路を提供する。【解決手段】  連続するＮのフレームが１グループとされ、グループ内の任意のｍの連続するフレームでは、液晶表示パネルはライン反転駆動法で駆動される。そして、残りの（Ｎ−ｍ）のフレームでは、液晶表示パネルはフレーム反転駆動法で駆動される。また、ｍの値は偶数に設定される。１グループについての駆動が完了すると１シーケンスが完了する。【選択図】  図１
2005338463.tif 000002
【特許請求の範囲】
【請求項１】
複数の走査電極と複数のデータ電極とがマトリクス状に配置された液晶表示パネルを駆動する駆動方法において、
連続するＮ（２≦Ｎ）のフレームのうちのｍ（１≦ｍ＜Ｎ）のフレームではライン反転駆動法で駆動し、
他の（Ｎ−ｍ）のフレームではフレーム反転駆動法で駆動する
ことを特徴とする液晶表示装置の駆動方法。
【請求項２】
Ｎのフレームのうちの連続する偶数個のフレームにおいてライン反転駆動法で駆動する
請求項１記載の液晶表示装置の駆動方法。
【請求項３】
複数の走査電極と複数のデータ電極とがマトリクス状に配置された液晶表示パネルを駆動する駆動回路において、
各走査電極に順次選択電圧を印加する走査電極ドライバと、
前記走査電極ドライバによる走査電極への選択電圧の印加に同期して各データ電極にデータ電圧を印加するデータ電極ドライバと、
連続するＮ（２≦Ｎ）のフレームのうちのｍ（１≦ｍ＜Ｎ）のフレームではライン反転駆動法で駆動させ、他の（Ｎ−ｍ）のフレームではフレーム反転駆動法で駆動させることを指示する指示信号を、前記走査電極ドライバおよび前記データ電極ドライバに出力する制御回路とを備えた
ことを特徴とする液晶表示装置の駆動回路。
【請求項４】
制御回路は、走査電極ドライバおよびデータ電極ドライバに、Ｎのフレームのうちの連続する偶数個のフレームにおいてライン反転駆動法で駆動させる
請求項３記載の液晶表示装置の駆動回路。
【発明の詳細な説明】
【技術分野】
【０００１】
本発明は、交流駆動を用いた液晶表示装置の駆動方法および駆動回路に関する。
【背景技術】
【０００２】
液晶表示パネルを直流電圧で駆動すると寿命が短くなる等の理由で、一般に、液晶表示パネルを駆動する駆動方法として交流駆動が用いられる。線順次駆動を用いる場合、交流駆動として、走査される走査電極が切り替わる毎に液晶に印加される電圧を反転させるライン反転駆動法や、フレーム毎に液晶に印加される電圧を反転させるフレーム反転駆動法などがある。なお、フレームは、全ての走査電極が１回走査されるのに要する期間を意味する。
【０００３】
ＴＦＴ（Thin Film Transistor）を用いた液晶表示パネルを、フレーム反転駆動法を用いて駆動する場合には、データ電極（ソース電極）に印加されるデータ電圧の極性を反転させる。また、駆動電圧が大きくなることを防止するために、コモン電極に印加されるコモン電圧の極性も反転させ、かつ、コモン電圧とデータ電圧とが逆極性になるように駆動することが一般的である。ライン反転駆動法を用いて駆動する場合には、走査される走査電極が切り替わる毎にデータ電圧の極性を反転させる。また、フレーム反転駆動法を用いて駆動する場合と同様に、コモン電極に印加されるコモン電圧の極性も、走査される走査電極が切り替わる毎に反転させる。
【０００４】
ライン反転駆動法を用いると、フレーム反転駆動法を用いる場合に比べて、画質が改善することが知られている。特に、クロストークが低減する（例えば、特許文献１参照。）。
【０００５】
【特許文献１】特開２００３−２８０６０１号公報（段落００１０−００１１、図３６、図３８）
【発明の開示】
【発明が解決しようとする課題】
【０００６】
しかし、ライン反転駆動法を用いると、いわゆる振り筋が観察される場合がある。また、ライン反転駆動法では、走査される走査電極が切り替わる毎にデータ電圧およびコモン電極に印加される電圧の極性を変えるので、ソースドライバにおける信号周波数が高くなるとともに、コモン電圧の切替周波数が高くなるので、消費電力が増大する。従って、低消費電力が求められる携帯機器に搭載される液晶表示パネルを駆動するには向いていない。
【０００７】
そこで、本発明は、フレーム反転駆動法を用いる場合に比べて画質を向上させることができるとともに、ライン反転駆動法を用いる場合に比べて消費電力を低減することができる液晶表示装置の駆動方法および駆動回路を提供することを目的とする。
【課題を解決するための手段】
【０００８】
本発明による液晶表示装置の駆動方法は、複数の走査電極と複数のデータ電極とがマトリクス状に配置された液晶表示パネルを駆動する駆動方法であって、連続するＮ（２≦Ｎ）のフレームのうちのｍ（１≦ｍ＜Ｎ）のフレームにおいて液晶表示パネルをライン反転駆動法で駆動し、他の（Ｎ−ｍ）のフレームにおいて液晶表示パネルをフレーム反転駆動法で駆動することを特徴とする。
【０００９】
Ｎのフレームのうちの連続する偶数個のフレームにおいてライン反転駆動法で駆動することが好ましい。すなわち、ｍは偶数であることが好ましい。
【００１０】
本発明による液晶表示装置の駆動回路は、複数の走査電極と複数のデータ電極とがマトリクス状に配置された液晶表示パネルを駆動する駆動回路であって、各走査電極に順次選択電圧を印加する走査電極ドライバと、走査電極ドライバによる走査電極への選択電圧の印加に同期して各データ電極にデータ電圧を印加するデータ電極ドライバと、連続するＮ（２≦Ｎ）のフレームのうちのｍ（１≦ｍ＜Ｎ）のフレームにおいて液晶表示パネルをライン反転駆動法で駆動させ、他の（Ｎ−ｍ）のフレームにおいて液晶表示パネルをフレーム反転駆動法で駆動させることを指示する指示信号を、走査電極ドライバおよびデータ電極ドライバに出力する制御回路とを備えたことを特徴とする。
【００１１】
制御回路は、走査電極ドライバおよびデータ電極ドライバに、Ｎのフレームのうちの連続する偶数個のフレームにおいてライン反転駆動法で駆動させることが好ましい。
【発明の効果】
【００１２】
本発明によれば、連続する複数フレームにおける一部のフレームにおいて液晶表示パネルをライン反転駆動法で駆動し、他のフレームにおいてフレーム反転駆動法で液晶表示パネルを駆動するので、フレーム反転駆動法を用いる場合に比べて画質を向上させることができるとともに、ライン反転駆動法を用いる場合に比べて消費電力を低減することができる。
【発明を実施するための最良の形態】
【００１３】
以下、本発明の実施の形態を図面を参照して説明する。図１は、本発明の概念を説明するための説明図である。図１（Ａ）に示すように、連続するＮのフレームが１グループとされ、グループ内の任意のｍの連続するフレームでは、液晶表示パネルはライン反転駆動法で駆動され、他の（Ｎ−ｍ）のフレームでは、液晶表示パネルはフレーム反転駆動法で駆動される。そして、１グループを構成する全てのフレームの駆動が完了すると、次グループについて、前グループと同様の駆動が実行される。すなわち、第（Ｎ＋１）〜第２Ｎフレームについて、グループ内のｍの連続するフレームはライン反転駆動法で駆動され、他の（Ｎ−ｍ）のフレームでは、液晶表示パネルはフレーム反転駆動法で駆動される。また、それぞれのグループにおいて、ｍの連続するフレームの配置位置は異なっていてもよい。例えば、図１（Ａ）に示す例では、最初のｍフレームがライン反転駆動法で駆動されるが、他のグループでは、最初のｍフレーム以外のｍフレームがライン反転駆動法で駆動されてもよい。
【００１４】
なお、図１（Ａ）ではｍ＝２の場合が例示されているが、ｍの値は偶数であれば、４以上の値であってもよい。Ｎは、２以上の値であるが、例えば、液晶表示パネルにおける全ライン数Ｌを上限とする。なお、１グループについての駆動が完了すると、本発明の駆動法の１シーケンスが完了する。また、図１（Ｂ）には、Ｎ＝６であって、ｍ＝２の場合が例示されている。
【００１５】
ｍフレームのうちのあるフレームにおいて正極性で駆動されたラインは、次のフレームでは負極性で駆動される。逆に、あるフレームにおいて負極性で駆動されたラインは、次のフレームにおいて正極性で駆動される。
【００１６】
なお、以下の説明において、正極性で駆動するとは、コモン電圧が、コモン電圧センタ（正極性時の電圧と負極性時の電圧との中間の電圧）よりも高いことを意味し、負極性で駆動するとは、コモン電圧が、コモン電圧センタよりも低いことを意味する。また、データ電圧は、コモン電圧と逆極性とされる。
【００１７】
図２は、本発明による駆動法を実現するための駆動回路の一構成例を示すブロック図である。図２に示す例では、ＴＦＴがマトリクス状に配され、画素電極とコモン電極との間に液晶が挟持されたＴＦＴ型の液晶表示パネル１０が用いられている。液晶表示パネル１０を駆動する駆動回路は、液晶表示パネル１０における同列のＴＦＴのソースに接続されるデータ電極としての各ソース電極（ソース配線）が繋がれたソースドライバ（データ電極ドライバ）１２、液晶表示パネル１０における同行のＴＦＴのゲートに接続される走査電極としての各ゲート電極（ゲート配線）が繋がれたゲートドライバ（走査電極ドライバ）１３、データ電圧を作成するための電圧をソースドライバ１２に供給するとともに、選択電圧と非選択電圧とを作成するための電圧をゲートドライバ１３に供給する電源回路１４が設けられている。
【００１８】
また、この実施の形態では、ゲートドライバ１３が内蔵するコモン電圧出力部１３１が、液晶表示パネル１０のコモン電極（コモン配線）に正極性または負極性のコモン電圧ＶＣＯＭＨ，ＶＣＯＭＬを印加する。従って、電源回路１４からゲートドライバ１３に、コモン電圧を作成するための電圧が供給される。
【００１９】
制御回路としてのコントローラ１１は、ソースドライバ１２およびゲートドライバ１３に、フレームの開始を示す信号であるＦＬＭ（First Line Marker ）信号を出力するとともに、各選択期間（１本のゲート線に選択電圧が印加される期間）毎に、ＬＰ（Latch Pulse ）信号を出力する。また、この実施の形態では、駆動回路の外部から入力されたデータ信号が、コントローラ１１を介してソースドライバ１２に出力される。さらに、コントローラ１１は、ソースドライバ１２およびゲートドライバ１３に、極性を示す信号であるＭ信号を出力する。Ｍ信号は、各選択期間毎に出力されるとする。なお、Ｍ信号は、連続するＮ（２≦Ｎ）のフレームのうちのｍ（１≦ｍ＜Ｎ）のフレームではライン反転駆動法で駆動させ、他の（Ｎ−ｍ）のフレームではフレーム反転駆動法で駆動させることを指示する指示信号に相当する。
【００２０】
ゲートドライバ１３は、カウンタを内蔵し、ＦＬＭ信号が入力されるとカウンタをリセットし、ＬＰ信号が入力されるとカウンタの値を＋１する。そして、カウンタの値が示すゲート線にＴＦＴのゲートを導通状態にさせるための選択電圧を印加し、他のゲート線にＴＦＴのゲートを遮断状態にさせるための非選択電圧を印加する。また、ゲートドライバ１３は、Ｍ信号が正極性を示していれば正極性のコモン電圧をコモン線に印加し、Ｍ信号が負極性を示していれば負極性のコモン電圧をコモン線に印加する。
【００２１】
ソースドライバ１２は、ＬＰ信号が入力されると、データ信号をラッチするとともに、ラッチしているデータ信号に応じたデータ電圧をソース線に印加する。ゲートドライバ１３はＬＰ信号に同期してゲート線に選択電圧を印加するので、ソースドライバ１２は、ゲート線への選択電圧の印加に同期して各ソース線にデータ電圧を印加することになる。このとき、Ｍ信号が正極性を示していれば、正極性のコモン電圧に対応する極性のデータ信号（負極性のデータ電圧）を印加し、Ｍ信号が負極性を示していれば、負極性のコモン電圧に対応する極性のデータ信号（正極性のデータ電圧）を印加する。
【００２２】
図３は、各フレームにおける各選択期間のＭ信号の極性の一例を示す説明図である。図３には、全ライン数Ｌが８である場合の例が示されている。従って、１フレームは第１〜第８の選択期間で構成される。それぞれの選択期間において、第１〜第８ラインのいずれかが順次に選択され、ゲート線に選択電圧が印加される。また、図３では、Ｎ＝６で、ｍ＝２場合の例が示されている。また、Ｍ＝１は正極性で駆動することを示し、Ｍ＝０は負極性で駆動することを示す。
【００２３】
図３に示すように、第１フレームでは、第１ラインすなわち第１の選択期間では液晶表示パネル１０は負極性で駆動され、表示領域全体がライン反転駆動法で駆動されるようにＭ信号が設定される。また、第２フレームでは、第１ラインが正極性で駆動され、表示領域全体がライン反転駆動法で駆動されるようにＭ信号が設定される。
【００２４】
第３フレームおよび第４フレームでは、表示領域全体がフレーム反転駆動法で駆動されるようにＭ信号が設定される。具体的には、第３フレームでは、表示領域全体が負極性で駆動され、第４フレームでは、表示領域全体が正極性で駆動されるようにＭ信号が設定される。
【００２５】
第５フレームおよび第６フレームでは、表示領域全体がフレーム反転駆動法で駆動されるようにＭ信号が設定される。具体的には、第５フレームでは、表示領域全体が負極性で駆動され、第６フレームでは、表示領域全体が正極性で駆動されるようにＭ信号が設定される。
【００２６】
図３に示された各選択期間のＭ信号の極性を示すデータは、例えば、コントローラ１１にデータテーブルとして設定される。
【００２７】
次に、図４のフローチャートを参照して、コントローラ１１の動作を説明する。この実施の形態では、コントローラ１１は、フレーム数を計数するためのフレームカウンタと、各フレームにおけるライン数を計数するためのラインカウンタを有している。
【００２８】
まず、コントローラ１１は、フレームカウンタに初期値として「１」を設定する（ステップＳ１）。そして、フレーム開始タイミングが到来すると（ステップＳ２）、フレームカウンタの値が示すテーブルを選択する（ステップＳ３）。フレームカウンタの値が「１」であれば、図３に例示したデータテーブルにおける左上段の第１フレーム用のテーブルを選択する。また、ラインカウンタに初期値として「１」を設定する（ステップＳ４）。なお、このとき、コントローラ１１は、ＦＬＭ信号を出力する。
【００２９】
次いで、ＬＰ信号の出力タイミングが到来すると（ステップＳ５）、ステップＳ３で選択したテーブルから、ラインカウンタの値が示すデータを入力する（ステップＳ６）。ラインカウンタの値が「１」であれば、第１ライン用のデータを入力する。そして、テーブルから入力したデータを、Ｍ信号として出力するとともに、ＬＰ信号を出力する（ステップＳ７）。なお、ＬＰ信号の出力タイミングは、１選択期間が経過すると到来したことになる。
【００３０】
次に、コントローラ１１は、ラインカウンタの値を＋１する（ステップＳ８）。ラインカウンタの値が全ライン数としてのＬを越えた場合には（ステップＳ９）、次のフレームの制御を開始するためにステップＳ１０に移行する。ラインカウンタの値がＬを越えていなければ、ステップＳ５に戻る。
【００３１】
ステップＳ１０では、フレームカウンタの値を＋１する。フレームカウンタの値がＮを越えている場合には、１シーケンスが終了したことになるので、次シーケンスを開始するためにステップＳ１に戻る。フレームカウンタの値がＮを越えていなければ、ステップＳ２に戻り、グループ内の次のフレームの制御を開始する。なお、図３に例示されたデータテーブルを用いる場合には、Ｎは６である。また、ステップＳ２において、フレーム開始タイミングは、前回のフレーム開始タイミングからフレーム周波数で決まる期間（周期）が経過したら到来することになる。
【００３２】
以上のような処理によって、図１（Ｂ）に示されたように、ライン反転駆動を時間的に分散させた駆動法を実現できる。なお、以上に説明した制御方法および駆動回路の構成は一例であって、複数のフレームで構成されたグループにおける一部のフレームではライン反転駆動法で駆動し、グループにおけるその他のフレームではフレーム反転駆動法で駆動するように制御できれば。他の制御方法や駆動回路を用いてもよい。例えば、ライン反転駆動法を用いて液晶表示パネル１０を駆動する一般的なコントローラを用い、そのコントローラを第１のコントローラとして、第１のコントローラとソースドライバ１２およびゲートドライバ１３との間に、第２のコントローラを設置し、第２のコントローラが、第１のコントローラが出力するＭ信号（選択期間毎に反転するＭ信号）を、上記のデータテーブルにもとづくＭ信号に変換するように構成してもよい。
【００３３】
また、コントローラ１１として、ライン反転駆動法を用いて液晶表示パネル１０を駆動する一般的なコントローラを用い、ソースドライバ１２およびゲートドライバ１３に上記のデータテーブルを内蔵し、ソースドライバ１２およびゲートドライバ１３が、コントローラ１１が出力するＭ信号（選択期間毎に反転するＭ信号）を、上記のデータテーブルにもとづいて変換するように構成することも可能である。そのように構成される場合には、連続するＮ（２≦Ｎ）のフレームのうちのｍ（１≦ｍ＜Ｎ）のフレームではライン反転駆動法で駆動させ他の（Ｎ−ｍ）のフレームではフレーム反転駆動法で駆動させることを指示する制御回路が、ソースドライバ１２およびゲートドライバ１３に内蔵されることになる。
【００３４】
上記の実施の形態では、Ｎのフレームを１グループとし、グループのうちのｍのフレームがライン反転駆動法で駆動され、（Ｎ−ｍ）個のフレームがフレーム反転駆動法で駆動されるので、消費電力を、表示領域全てをライン反転駆動法で駆動する場合に比べて、ｍ／Ｎに近づけることができる。すなわち、消費電力を低減することができる。また、ライン反転駆動法で駆動したときのクロストークをフレーム反転駆動法で駆動したときに比べて極めて小さいとすると、グループにおける全てのフレームをフレーム反転駆動法で駆動する場合に比べて、クロストークの程度を（Ｎ−ｍ）／Ｎに下げることができ、全体的な表示品位を上げることができる。さらに、振り筋の発生の程度を、グループにおける全てのフレームをライン反転駆動法で駆動する場合に比べて、ｍ／Ｎに低下させることができ、違和感を低減させた液晶表示装置を得ることができる。
【００３５】
なお、Ｎの値に対してｍの値が極めて小さいと消費電力が大幅に低減されるが、表示品位はそれほど向上しない。そこで、ｍは、消費電力の低減の方を重視する場合には、Ｎの値に対して５０％以下、例えば１０〜３０％の範囲で選定されることが好ましい。また、例えば、液晶表示パネル１０のサイズとして携帯機器に搭載するのに適するＱＶＧＡでは、Ｎは３〜１０程度に選定される。ただし、本発明は、ＱＶＧＡよりも広いサイズの表示領域を有する液晶表示パネルを用いる場合にも適用することができる。
【００３６】
また、上記の実施の形態では、アクティブマトリクス型の液晶表示パネル１０を用いる場合を例にしたが、ＳＴＮ液晶表示パネルなどパッシブマトリクス型の液晶表示パネルを用いる場合でも本発明を適用することができる。
【産業上の利用可能性】
【００３７】
本発明は、特に消費電力の低減が求められる機器に搭載される液晶表示パネルに適用する場合に有用である。
【図面の簡単な説明】
【００３８】
【図１】本発明の概念を説明するための説明図。
【図２】本発明による駆動法を実現するための駆動回路の一構成例を示すブロック図。
【図３】各フレームにおける各選択期間のＭ信号の極性の一例を示す説明図。
【図４】コントローラの動作を示すフローチャート。
【符号の説明】
【００３９】
１０    液晶表示パネル
１１    コントローラ
１２    ソースドライバ
１３    ゲートドライバ
１４    電源回路
１３１  コモン電圧出力部
【図１】
2005338463.tif 000003
【図２】
2005338463.tif 000004
【図３】
2005338463.tif 000005
【図４】
2005338463.tif 000006